(57)【特許請求の範囲】
【請求項１】
それぞれＹ軸に沿って延在し、前記Ｙ軸に直交したＸ軸に沿った方向に互いに隙間を置いて交互に並べられた複数の第１電極及び複数の第２電極を有した第１基板と、
前記複数の第１電極及び複数の第２電極に対向配置された対向電極を有した第２基板と、
前記第１基板及び第２基板間に挟持された液晶層と、を備え、
前記液晶層に利用する液晶のスプレイ弾性定数をｋ１１、前記液晶のベンド弾性定数をｋ３３とすると、ｋ３３／ｋ１１は１．２８以下であり、
前記液晶の誘電率異方性をΔε、前記液晶の液晶分子の長軸に垂直な方向の誘電率をε⊥とすると、（ｋ３３／ｋ１１）／（Δε／ε⊥）は０．６５以下である液晶レンズ。
【請求項２】
前記液晶層は、ポジ型のネマチック液晶を利用し、液晶分子が前記Ｘ軸に略平行に初期配向するホモジニアス配向を採る請求項１に記載の液晶レンズ。
【請求項３】
前記第１基板は、前記第２基板と対向する面に配置され、前記Ｘ軸に平行である第１方向にラビングが施された第１配向膜をさらに有し、
前記第２基板は、前記第１基板と対向する面に配置され、前記Ｘ軸に平行であり前記第１方向と逆向きである第２方向にラビングが施された第２配向膜をさらに有している請求項１に記載の液晶レンズ。
【請求項４】
請求項１乃至３の何れか１項に記載の液晶レンズと、
前記液晶レンズの前記第１基板に対向配置された表示パネルと、を備えている表示装置。
【請求項５】
前記複数の第１電極、複数の第２電極及び対向電極の全てを同電位に設定し、それぞれ前記Ｘ軸及びＹ軸に沿った方向において前記液晶層に均一な屈折率を持たせる第１状態と、前記複数の第１電極及び対向電極を同電位に設定し、前記複数の第２電極を前記複数の第１電極及び対向電極と異なる電位に設定し、前記Ｙ軸に沿った方向において前記液晶層に均一な屈折率を持たせ、前記Ｘ軸に沿った方向において前記液晶層に屈折率分布を持たせる第２状態と、の何れかに切替える制御部をさらに備えている請求項４に記載の表示装置。
【発明の詳細な説明】
【技術分野】
【０００１】
本発明の実施形態は、液晶レンズ及び表示装置に関する。
【背景技術】
【０００２】
近年、立体画像を表示するための技術が種々提案されている。裸眼にて立体画像をみることを可能とする液晶表示装置も提案されている。上記立体画像の代表的な形成方式としては、視差バリア方式とレンチキュラーレンズ方式が挙げられる。レンチキュラーレンズ方式では、表示面上にカマボコ型の樹脂マイクロレンズを設置することで、右目と左目にそれぞれ視差のついた映像を見せることができる。
【０００３】
また、上記立体画像の形成方式としては、液晶レンズ方式も挙げられる。液晶レンズ方式では、樹脂レンズの代わりに樹脂レンズと同様の屈折率分布を液晶層に持たせた液晶パネル（液晶レンズ）を使用することができる。液晶レンズ方式を用いた場合、液晶レンズへの印加電圧に従って平面画像表示（２Ｄ）と、立体画像表示（３Ｄ）とを切替えることが可能となる。
【先行技術文献】
【特許文献】
【０００４】
【特許文献１】特開２００８−１３９７９３号公報
【特許文献２】特開２０１０−２２４１９１号公報
【特許文献３】特開２０１１−１４５６９７号公報
【発明の概要】
【発明が解決しようとする課題】
【０００５】
液晶レンズ方式では印加電圧により液晶層の屈折率分布を制御することで、同一画面内の一部の画像を選択的に飛び出させるといったことができる。液晶レンズの液晶層の屈折率分布をレンズと同様に制御するため、対向する一対の基板の一方に櫛歯状の電極構造を形成し、他方には平坦化した電極層を形成する。
【０００６】
上記櫛歯状の電極構造は、隔列でグランド電極と電源電極が並んで形成されている。グランド電極は、対向する平坦電極層と同電位となる。電源電極は、グランド電極及び電極層と異なる電位に設定される。液晶レンズに電圧が印加され、電源電極がグランド電極及び対向する平坦電極層と異なる電位に設定されると、電源電極をレンズ端とするカマボコ型の屈折率分布が得られる。
【０００７】
ところで、電源電極上の液晶分子は不均一電界の影響を受けるため、ダイレクター配向の不連続ができ易い。ダイレクター配向の不連続はディスクリネーション（転傾）と呼ばれる。この際、電源電極上においてディスクリネーションが蛇行形状を採ることが問題となる。詳しくは、ディスクリネーションが蛇行形状を採ると、入射光のランダムな散乱が起こり液晶セルの視認性が大きく悪化してしまう。
【０００８】
この発明は以上の点に鑑みなされたもので、その目的は、ディスクリネーションの蛇行を低減することができる液晶レンズ及び液晶レンズを備えた表示装置を提供することにある。
【課題を解決するための手段】
【０００９】
一実施形態に係る液晶レンズは、
それぞれＹ軸に沿って延在し、前記Ｙ軸に直交したＸ軸に沿った方向に互いに隙間を置いて交互に並べられた複数の第１電極及び複数の第２電極を有した第１基板と、
前記複数の第１電極及び複数の第２電極に対向配置された対向電極を有した第２基板と、
前記第１基板及び第２基板間に挟持された液晶層と、を備え、
前記液晶層に利用する液晶のスプレイ弾性定数をｋ１１、前記液晶のベンド弾性定数をｋ３３とすると、ｋ３３／ｋ１１は１．２８以下であり、
前記液晶の誘電率異方性をΔε、前記液晶の液晶分子の長軸に垂直な方向の誘電率をε⊥とすると、（ｋ３３／ｋ１１）／（Δε／ε⊥）は０．６５以下である。
【００１０】
また、一実施形態に係る表示装置は、
それぞれＹ軸に沿って延在し、前記Ｙ軸に直交したＸ軸に沿った方向に互いに隙間を置いて交互に並べられた複数の第１電極及び複数の第２電極を有した第１基板と、前記複数の第１電極及び複数の第２電極に対向配置された対向電極を有した第２基板と、前記第１基板及び第２基板間に挟持された液晶層と、を備えた液晶レンズと、
前記液晶レンズの前記第１基板に対向配置された表示パネルと、を備え、
前記液晶層に利用する液晶のスプレイ弾性定数をｋ１１、前記液晶のベンド弾性定数をｋ３３とすると、ｋ３３／ｋ１１は１．２８以下であり、
前記液晶の誘電率異方性をΔε、前記液晶の液晶分子の長軸に垂直な方向の誘電率をε⊥とすると、（ｋ３３／ｋ１１）／（Δε／ε⊥）は０．６５以下である。
【図面の簡単な説明】
【００１１】
【図１】図１は、一実施形態に係る液晶表示装置を示す概略断面図である。
【図２】図２は、図１に示した液晶表示パネルを示す平面図である。
【図３】図３は、上記液晶表示パネルを示す断面図である。
【図４】図４は、図１乃至図３に示したアレイ基板の一部を示す回路図である。
【図５】図５は、図１に示した液晶レンズを示す平面図である。
【図６】図６は、上記液晶レンズの一部を示す断面図であり、電圧が印加されていない状態の液晶層を示す図である。
【図７】図７は、上記液晶レンズの一部を示す断面図であり、電圧が印加されている状態の液晶層を示す図である。
【図８】図８は、上記実施形態に係る実施例１及び２並びに比較例１及び２における、上記液晶レンズの液晶の弾性定数比に対するディスクリネーションの蛇行発生領域の度合いの変化をグラフで示す図である。
【図９】図９は、上記実施形態に係る実施例１及び２並びに比較例１及び２における、上記液晶レンズの液晶の弾性定数比と誘電率比との比に対するディスクリネーションの蛇行発生領域の度合いの変化をグラフで示す図である。
【発明を実施するための形態】
【００１２】
以下、図面を参照しながら一実施形態に係る液晶表示装置について詳細に説明する。  
図１に示すように、液晶表示装置は、表示パネルとしての液晶表示パネルＰと、液晶表示パネルによって表示される画像を透過させて平面画像又は立体画像を形成する液晶レンズＬと、制御部Ｃ（駆動部）とを備えている。液晶表示装置が表示する画像は、液晶レンズＬにより、平面（２Ｄ）画像又は立体（３Ｄ）画像に切替えられる。
【００１３】
図１乃至図４に示すように、液晶表示パネルＰは、アレイ基板１０と、対向基板２０と、液晶層３０と、第１偏光部６０と、表示面Ｓを有した第２偏光部７０とを備えている。アレイ基板１０及び対向基板２０は、それぞれ矩形状に形成されている。アレイ基板１０は、対向基板２０よりも大きな寸法に形成されている。
【００１４】
アレイ基板１０及び対向基板２０は、各々３辺がほぼ重なるように配置されている。アレイ基板１０の残る一辺において、アレイ基板１０は、対向基板２０よりも外側に延出している。より詳しくは、Ｘ軸に沿った方向において、アレイ基板１０及び対向基板２０はほぼ重なるように配置されている。Ｘ軸と直交したＹ軸に沿った方向において、アレイ基板１０は、対向基板２０よりも外側へ延出している。液晶表示パネルＰは、アレイ基板１０及び対向基板２０に重なった矩形状の表示領域Ｒを有している。
【００１５】
アレイ基板１０は、透明な絶縁基板として、矩形状のガラス基板１１を有している。ガラス基板１１は、対向基板２０から外れた延出部１１ａを有している。延出部１１ａ上には駆動回路９０が搭載されている。
【００１６】
表示領域Ｒにおいて、ガラス基板１１上に複数の画素ＰＸが設けられている。画素ＰＸは、表示面Ｓに沿ったＸ軸及びＹ軸に沿って並べられマトリクス状に設けられている。画素ＰＸは、Ｘ軸に並んだ赤、緑、青の副画素１４を有している。なお、表示面Ｓは、表示領域Ｒに重なっている。
【００１７】
表示領域Ｒにおいて、ガラス基板１１上に、複数の信号線１５及び複数の走査線１６が格子状に設けられている。信号線１５はＹ軸に沿った方向に延出し、走査線１６はＸ軸に沿った方向に延出している。隣合う２本の信号線１５及び隣合う２本の走査線１６は、副画素１４を区画している。
【００１８】
信号線１５及び走査線１６の交差部近傍に、スイッチング素子としてのＴＦＴ（薄膜トランジスタ）１７が設けられている。図示しないが、ＴＦＴ１７は、走査線１６の一部を延出させたゲート電極、ゲート絶縁膜を介してゲート電極と対向した半導体層、半導体層の一方の領域に接続されたソース電極、及びチャネル層の他方の領域に接続されたドレイン電極を有している。ＴＦＴ１７のソース電極は信号線１５に接続され、ＴＦＴ１７のドレイン電極は後述する画素電極１８に接続されている。
【００１９】
ガラス基板１１上には、複数の画素電極１８がマトリクス状に形成されている。画素電極１８は、ＩＴＯ（インジウム・ティン・オキサイド）等の透明な導電膜により形成されている画素電極１８は、隣合う２本の信号線１５及び隣合う２本の走査線１６で囲まれた領域に形成されている。副画素１４は、それぞれＴＦＴ１７と、このＴＦＴに電気的に接続された画素電極１８等とを有している。
【００２０】
全てを図示しないが、ＴＦＴ１７及び画素電極１８等が形成されたガラス基板１１上に、複数のスペーサとして、複数の柱状スペーサＳＳが複数本形成されている。表示領域Ｒ全体に重ね、ガラス基板１１及び画素電極１８上に、配向膜１９が形成されている。
【００２１】
対向基板２０は、透明な絶縁基板として、矩形状のガラス基板２１を有している。
【００２２】
表示領域Ｒにおいて、ガラス基板２１上にカラーフィルタ５０が設けられている。カラーフィルタ５０は、遮光部５１と、周辺遮光部５２と、赤、緑、青の複数の着色層５３、５４、５５とを有している。
【００２３】
遮光部５１は、格子状に形成され、信号線１５及び走査線１６に重なって形成されている。周辺遮光部５２は、矩形枠状に形成され、表示領域Ｒの周縁部全周に亘って形成されている。周辺遮光部５２は、表示領域Ｒの外側から漏れる光の遮光に寄与している。
【００２４】
着色層５３、５４、５５は、ガラス基板２１、遮光部５１及び周辺遮光部５２上に形成されている。着色層５３、５４、５５は、Ｘ軸に沿った方向に互いに隣接し、交互に並んで配設されている。着色層５３、５４、５５は、それぞれストライプ状に形成され、Ｙ軸に沿った方向に延出し、Ｙ軸に沿って並んだ副画素１４に重なっている。着色層５３、５４、５５の周縁部は、遮光部５１及び周辺遮光部５２に重なっている。  
カラーフィルタ５０上に、ＩＴＯ等の透明な導電膜により対向電極２２が形成されている。対向電極２２上には配向膜２３が形成されている。
【００２５】
アレイ基板１０及び対向基板２０は、柱状スペーサＳＳにより所定の隙間を置いて対向配置されている。アレイ基板１０及び対向基板２０は、表示領域Ｒの外側である両基板の周縁部に配設されたシール材３１により互いに接合されている。
【００２６】
液晶層３０は、アレイ基板１０及び対向基板２０間に挟持され、シール材３１で囲まれている。シール材３１の一部に形成された液晶注入口３２は封止材３３により封止されている。
【００２７】
第１偏光部６０はガラス基板１１の外面に配置されている。第２偏光部７０はガラス基板２１の外面に配置されている。上述したように、第２偏光部７０の外面に表示面Ｓが形成されている。表示面Ｓは画像を表示する表示領域Ｒを含んでいる。
【００２８】
図１、図５及び図６に示すように、液晶レンズＬは、屈折率制御液晶パネルと言い換えることができる。液晶レンズＬは、第１基板１と、第２基板２と、液晶層３とを備えている。
【００２９】
第１基板１は、透明な絶縁基板としてのガラス基板１ｓと、ガラス基板１ｓ上に形成された第１パターン１ｐとを有している。第１パターン１ｐは、グランド電極５と、電源電極６と、配向膜（第１配向膜）７とを有している。
【００３０】
グランド電極５は、櫛歯状に形成され、表示領域Ｒに位置している。グランド電極５は、ＩＴＯ等の透明な導電膜により形成されている。グランド電極５は、表示領域Ｒに位置した複数の第１電極５ａを有している。第１電極５ａは、Ｙ軸に沿って延在し、Ｘ軸に沿った方向に互いに隙間を置いて並べられている。グランド電極５の一部は、表示領域Ｒから外れて位置している。グランド電極５は、表示領域Ｒから外れて位置した端子部５ｐを有している。ここでは、端子部５ｐは、第２基板２と対向した領域から外れて位置している。
【００３１】
電源電極６は、櫛歯状に形成され、表示領域Ｒに位置している。電源電極６は、表示領域Ｒに位置した複数の第２電極６ａを有している。第２電極６ａは、Ｙ軸に沿って延在し、Ｘ軸に沿った方向に互いに隙間を置いて並べられている。第１電極５ａ及び第２電極６ａは、Ｘ軸に沿った方向に互いに隙間を置いて交互に並べられている。電源電極６の一部は、表示領域Ｒから外れて位置している。電源電極６は、表示領域Ｒから外れて位置した端子部６ｐを有している。ここでは、端子部６ｐは、第２基板２と対向した領域から外れて位置している。
【００３２】
配向膜７は、ガラス基板１ｓ、グランド電極５及び電源電極６上に形成されている。配向膜７は、第２基板２と対向する面に配置されている。配向膜７には、Ｘ軸に平行である第１方向ｄ１にラビングが施されている。
【００３３】
第２基板２は、透明な絶縁基板としてのガラス基板２ｓと、ガラス基板２ｓ上に形成された第２パターン２ｐとを有している。第２パターン２ｐは、対向電極８と、配向膜（第２配向膜）９とを有している。
【００３４】
対向電極８は、第１電極５ａ及び第２電極６ａに対向配置されている。対向電極８は、ベタ電極であり、表示領域Ｒ全体に形成されている。対向電極８は、ＩＴＯ等の透明な導電膜により形成されている。対向電極８の一部は、表示領域Ｒから外れて位置し、詳しくは第１基板１と対向した領域から外れて位置している。
【００３５】
配向膜９は、ガラス基板２ｓ及び対向電極８上に形成されている。配向膜９は、第１基板１と対向する面に配置されている。配向膜９には、Ｘ軸に平行であり、第１方向ｄ１と逆向きである第２方向ｄ２にラビングが施されている。配向膜７でのラビング方向と、配向膜９でのラビング方向とは反平行方向である。
【００３６】
液晶層３は、第１基板１及び第２基板２間に挟持されている。液晶層３は平坦である。液晶層３は、Ｎｐ液晶（ポジ型のネマチック液晶）を利用し、液晶分子ＬＭがＸ軸に略平行に初期配向するホモジニアス配向を採っている。
【００３７】
図１に示すように、液晶表示パネルＰの第２偏光部７０は、液晶レンズＬの第１基板１に対向配置されている。液晶レンズＬは、図示しない粘着材を利用して液晶表示パネルＰに貼り付けられている。
【００３８】
第１電極５ａ及び第２電極６ａのピッチは特定の値に限定されるものではなく、種々変形可能である。例えば、Ｘ軸方向に隣合う一対の第２電極６ａの間の領域には、１個又は複数個の画素ＰＸが対向している。
【００３９】
なお、図示しないが、液晶表示パネルＰの第１偏光部６０の外面側には、必要に応じてバックライトユニットが設けられている。バックライトユニットから出射されるバックライトは、液晶表示パネルＰ及び液晶レンズＬを順に透過する。
【００４０】
制御部Ｃは、液晶表示パネルＰ及び液晶レンズＬに電気的に接続されている。液晶表示パネルＰにおいて、制御部Ｃから駆動回路９０に制御信号が与えられる。これにより、液晶表示パネルＰが画像を表示する。
【００４１】
液晶レンズＬにおいて、制御部Ｃは、端子部５ｐ、端子部６ｐ及び対向電極８に電気的に接続されている。制御部Ｃは、液晶レンズＬを第１状態と、第２状態の何れかに切替える。
【００４２】
図１及び図６に示すように、制御部Ｃが液晶レンズＬを第１状態に切替える際、詳しくは複数の第１電極５ａ、複数の第２電極６ａ及び対向電極８の全てを同電位に設定する。ここでは、第１電極５ａ、第２電極６ａ及び対向電極８は、例えば接地電位（ＧＮＤ）に設定される。
【００４３】
この第１状態では、第１電極５ａ、第２電極６ａ及び対向電極８間に電位差は生じないため、液晶層３に電圧は印加されず、液晶分子ＬＭの配向状態も変化しない。このため、第１状態では、Ｘ軸及びＹ軸（表示面Ｓ）に沿った方向において液晶層３に均一な屈折率を持たせることができる。そして、液晶レンズＬは、液晶表示パネルＰによって表示される画像を透過させて平面画像を形成する。
【００４４】
図１及び図７に示すように、制御部Ｃが液晶レンズＬを第２状態に切替える際、詳しくは複数の第１電極５ａ及び対向電極８を同電位に設定し、複数の第２電極６ａを複数の第１電極５ａ及び対向電極８と異なる電位に設定する。ここでは、第１電極５ａ及び対向電極８は例えば接地電位に設定され、第２電極６ａは接地電位より高い電位又は接地電位より低い電位に設定される。
【００４５】
この第２状態では、第１電極５ａと第２電極６ａとの間と、第２電極６ａと対向電極８との間に電位差が生じるため、液晶層３には電圧が印加され、液晶分子ＬＭの配向状態は変化する。このため、第２状態では、Ｙ軸に沿った方向において液晶層３に均一な屈折率を持たせ、Ｘ軸に沿った方向において液晶層３に屈折率分布を持たせることができる。
【００４６】
液晶レンズＬの液晶層３の屈折率分布は、複数の凸部（周辺が第２電極６ａに対向し、Ｘ軸に沿って所定のピッチで複数並んでいるとともにそれぞれＸ軸に沿って延びている複数の凸部）を有したレンズと同様の屈折率分布となる。そして、液晶レンズＬは、液晶表示パネルＰによって表示される画像を透過させて立体画像を形成する。
【００４７】
次に、上述した実施形態に係る液晶表示装置の実施例１及び実施例２、並びに比較例１及び比較例２について説明する。  
ここで、液晶レンズＬの液晶層３に利用する液晶のスプレイ弾性定数をｋ１１、上記液晶のベンド弾性定数をｋ３３、上記液晶の弾性定数比をｋ３３／ｋ１１とする。また、上記液晶の誘電率異方性をΔε、上記液晶の液晶分子の長軸に垂直な方向の誘電率をε⊥、上記液晶の誘電率比をΔε／ε⊥、上記液晶の弾性定数比と誘電率比との比を（ｋ３３／ｋ１１）／（Δε／ε⊥）とする。
【００４８】
（実施例１）
実施例１において、ｋ１１＝１４．１、ｋ３３＝１６．２、Δε＝７、ε⊥＝３．７である。図８に示すように、ｋ３３／ｋ１１＝１．１５である。図９に示すように、（ｋ３３／ｋ１１）／（Δε／ε⊥）＝０．６１である。ここで、本願発明者等が第２電極６ａに重なった領域に発生するディスクリネーションを観察したところ、ディスクリネーションは、第２電極６ａと平行に現われ、全域に亘って蛇行形状は見られなかった。
【００４９】
ここで、ディスクリネーションの蛇行が無い場合とは、ディスクリネーションラインが直線である場合である。ディスクリネーションの蛇行が有る場合とは、ディスクリネーションラインにひとつでも節がある場合である。ディスクリネーションが２本以上の直線で形成され、直線どうしが節で結合されていてジグザグ形状をとっている場合に、蛇行が有ると言うことができる。
【００５０】
（実施例２）
実施例２において、実施例１と異なるＮｐ液晶を液晶層３に利用している。ｋ１１＝１４．７、ｋ３３＝１８．８、Δε＝７．５、ε⊥＝３．８である。図８に示すように、ｋ３３／ｋ１１＝１．２８である。図９に示すように、（ｋ３３／ｋ１１）／（Δε／ε⊥）＝０．６５である。ここで、本願発明者等が第２電極６ａに重なった領域に発生するディスクリネーションを観察したところ、ディスクリネーションの蛇行形状は、液晶層３のほぼ全域において見られなかったが、極小域において見られた。ディスクリネーションの蛇行が無かった領域は、第２電極６ａの本数に対し８０％であった。
【００５１】
（比較例１）
比較例１において、実施例１、２と異なるＮｐ液晶を液晶層３に利用している。ｋ１１＝１４．４、ｋ３３＝２２．４、Δε＝７．６、ε⊥＝３．８である。図８に示すように、ｋ３３／ｋ１１＝１．５６である。図９に示すように、（ｋ３３／ｋ１１）／（Δε／ε⊥）＝０．７８である。ここで、本願発明者等が第２電極６ａに重なった領域に発生するディスクリネーションを観察したところ、ディスクリネーションの蛇行形状は、液晶層３の大部分において見られた。
【００５２】
（比較例２）
比較例２において、実施例１、２及び比較例１と異なるＮｐ液晶を液晶層３に利用している。ｋ１１＝１２．２、ｋ３３＝１９．３、Δε＝６．９、ε⊥＝３．８である。図８に示すように、ｋ３３／ｋ１１＝１．５８である。図９に示すように、（ｋ３３／ｋ１１）／（Δε／ε⊥）＝０．８７である。ここで、本願発明者等が第２電極６ａに重なった領域に発生するディスクリネーションを観察したところ、ディスクリネーションの蛇行形状は、液晶層３の全域に亘って発生していた。
【００５３】
以上のように構成された実施形態に係る液晶レンズＬ及び液晶レンズＬを備えた液晶表示装置によれば、液晶レンズＬは、複数の第１電極５ａ及び複数の第２電極６ａを有した第１基板１と、対向電極８を有した第２基板２と、液晶層３とを備えている。液晶レンズＬを第１状態又は第２状態に切替えることにより、平面（２Ｄ）画像表示又は立体（３Ｄ）画像表示に切替えることができる。
【００５４】
上記実施例１及び２において、ｋ３３／ｋ１１は１．２８以下である。液晶応答の急峻性の指標となる（ｋ３３／ｋ１１）／（Δε／ε⊥）は０．６５以下である。この場合、液晶レンズＬを立体画像表示に対応した第２状態に切替えても、ディスクリネーションの蛇行形状は、液晶層３のほぼ全域に発生しない。なお、ディスクリネーションの蛇行が無かった領域は、第２電極６ａの本数に対し８０％以上である。このため、液晶レンズＬは、良好な視認性を示すことができる。
【００５５】
上記したことから、ディスクリネーションの蛇行を低減することができる液晶レンズＬを得ることができる。そして、平面画像表示及び立体画像表示の両方の品位に優れた液晶表示装置を得ることができる。
【００５６】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００５７】
例えば、液晶レンズＬは、第１基板１側が液晶表示パネルＰに対向しているが、第２基板２側が液晶表示パネルＰに対向していてもよい。  
この発明の実施形態は、液晶表示装置に限定されるものではなく、種々変形可能であり、各種の表示装置に適用することができる。上記表示装置は、液晶レンズと、液晶表示パネル以外の表示パネルを備えていれば上述した効果を得ることができる。
【符号の説明】
【００５８】
Ｌ…液晶レンズ、１…第１基板、２…第２基板、３…液晶層、５ａ…第１電極、６ａ…第２電極、７…配向膜、８…対向電極、９…配向膜、ＬＭ…液晶分子、Ｐ…液晶表示パネル、１０…アレイ基板、２０…対向基板、３０…液晶層、ＰＸ…画素、１４…副画素、Ｓ…表示面、Ｒ…表示領域、Ｃ…制御部、ｄ１…第１方向、ｄ２…第２方向。
【図１】
0005816573.tif 000002
【図２】
0005816573.tif 000003
【図３】
0005816573.tif 000004
【図４】
0005816573.tif 000005
【図５】
0005816573.tif 000006
【図６】
0005816573.tif 000007
【図７】
0005816573.tif 000008
【図８】
0005816573.tif 000009
【図９】
0005816573.tif 000010